(57)【要約】【課題】フレームと角度調節器の取付け部との連結強度が高い家具（例：座椅子）を提供する。【解決手段】家具構成体２のフレーム３の筒状の端部が角度調節器10の取付け部12に外嵌されている。取付け部12は筒状に形成されるとともに、その周壁13が軸方向に延びた分断部13ａで分断されている。取付け部12の周壁13における分断部13aにて対峙する一対の分断縁部13b,13bを挟んだ両側の部分13c,13cと、当該両部分13c,13cに対応するフレーム３の端部の周壁４の両部分4a,4aとが、かしめ固定部K1として、内側へ塑性変形されることにより、取付け部12にフレーム３の端部がかしめ固定されている。【選択図】図３
2014030614.tif 000002
【特許請求の範囲】
【請求項１】
第１家具構成体の第１フレームの端部と、第２家具構成体の第２フレームの端部とが、角度調節器を介して前記第１フレームと前記第２フレームとの間の角度を調節可能に連結されており、
前記角度調節器は、第１取付け部と第２取付け部とを備えるとともに、前記第１取付け部は前記第２取付け部に対して相対的に回転可能であり、
前記第１フレームの端部が前記角度調節器の前記第１取付け部に取り付けられるとともに、前記第２フレームの端部が前記角度調節器の前記第２取付け部に取り付けられており、
前記第１取付け部と前記第２取付け部とのうち少なくとも一方の取付け部は、筒状に形成されるとともに、その周壁が軸方向に延びた分断部で分断されており、
前記一方の取付け部に取り付けられる前記フレームの端部は、筒状に形成されるとともに、前記一方の取付け部に外嵌されており、
前記一方の取付け部の前記周壁における前記分断部にて対峙する一対の分断縁部を挟んだ両側の部分と当該両部分に対応する前記フレームの端部の周壁の両部分とが、かしめ固定部として、内側へ塑性変形されることにより、前記一方の取付け部に前記フレームの端部がかしめ固定されていることを特徴とする家具。
【請求項２】
前記一方の取付け部の前記周壁の前記両分断縁部同士が突き合わされた状態に前記一方の取付け部に前記フレームの端部がかしめ固定されている請求項１記載の家具。
【請求項３】
前記かしめ固定部が前記分断部の延びる方向に離間して複数、設けられている請求項１又は２記載の家具。
【請求項４】
第１家具構成体の第１フレームの端部と、第２家具構成体の第２フレームの端部とが、角度調節器を介して前記第１フレームと前記第２フレームとの間の角度を調節可能に連結されており、
前記角度調節器は、第１取付け部と第２取付け部とを備えるとともに、前記第１取付け部は前記第２取付け部に対して相対的に回転可能であり、
前記第１フレームの端部が前記角度調節器の前記第１取付け部に取り付けられるとともに、前記第２フレームの端部が前記角度調節器の前記第２取付け部に取り付けられた家具の製造方法であって、
角度調節器の第１取付け部と第２取付け部とのうち少なくとも一方の取付け部は、筒状に形成されるとともに、その周壁が軸方向に延びた分断部で分断されており、
前記一方の取付け部に取り付けられるフレームの端部は筒状に形成されており、
前記フレームの端部を前記一方の取付け部に外嵌し、その後、
前記一方の取付け部の前記周壁における前記分断部にて対峙する一対の分断縁部を挟んだ両側の部分と当該両部分に対応する前記フレームの端部の周壁の両部分とを、かしめ固定部として、かしめパンチに形成された押圧部で前記フレームの端部の外側から内側へ押圧して塑性変形させることより、前記一方の取付け部に前記フレームの端部をかしめ固定することを特徴とする家具の製造方法。
【請求項５】
前記一方の取付け部の前記周壁の前記両分断縁部同士が突き合わされるように、前記かしめパンチの前記押圧部で押圧する請求項４記載の家具の製造方法。
【請求項６】
前記かしめパンチは、１軸方向に駆動されるものであり、
前記かしめパンチには２つの前記押圧部が互いに離間して形成されており、
前記かしめパンチの前記２つの押圧部を、前記フレームの端部の外側にて前記両分断縁部を跨ぐ態様にして配置し、
次いで、前記かしめパンチを駆動させることにより、前記かしめパンチの前記２つの押圧部で同時に押圧する請求項４又は５記載の家具の製造方法。
【請求項７】
前記かしめパンチは板状に形成されるとともに、前記かしめパンチの先端縁部に前記２つの押圧部が形成されている請求項６記載の家具の製造方法。
【請求項８】
前記かしめパンチは、前記かしめパンチの駆動方向に駆動されるパンチ取付け体に、前記分断部の延びる方向に離間して複数個取り付けられており、
前記パンチ取付け体を駆動させることにより、前記複数個のかしめパンチを一括して同時に駆動させる請求項６又は７記載の家具の製造方法。
【請求項９】
前記かしめ固定部への押圧力によって前記フレームの端部の前記周壁全体が偏平状に変形しないように前記周壁の外周面を拘束した状態で、前記かしめパンチの前記押圧部で押圧する請求項４〜８のいずれかに記載の家具の製造方法。
【請求項１０】
フレームの筒状の端部を、角度調節器に備えられ且つ周壁が軸方向に延びた分断部で分断された筒状の取付け部に外嵌した状態で前記取付け部にかしめ固定するかしめ固定装置であって、
１軸方向に駆動されるかしめパンチを具備し、
前記かしめパンチには２つの押圧部が互いに離間して形成されており、
前記かしめパンチの前記２つの押圧部は、フレームの端部の外側にて、取付け部の周壁における分断部にて対峙する一対の分断縁部を跨ぐ態様に配置されるものであり、
前記かしめパンチは、フレームの端部の外側から内側へ駆動されるものとなされていることを特徴とするかしめ固定装置。
【請求項１１】
前記かしめパンチは板状に形成されるとともに、前記かしめパンチの先端縁部に前記２つの押圧部が形成されている請求項１０記載のかしめ固定装置。
【請求項１２】
前記かしめパンチは、前記かしめパンチの駆動方向に駆動されるパンチ取付け体に、前記分断部の延びる方向に離間して複数個取り付けられており、
前記複数個のかしめパンチは、前記パンチ取付け体が駆動されることにより、一括して同時に駆動されるものとなされている請求項１０又は１１記載のかしめ固定装置。
【請求項１３】
拘束凹部を備えており、
前記拘束凹部は、拘束凹部内に配置された前記フレームの端部の前記周壁全体が前記かしめ固定部への押圧力によって偏平状に変形しないように前記周壁の外周面を拘束するものである請求項１０〜１２のいずれかに記載のかしめ固定装置。
【請求項１４】
フレームの筒状の端部が、角度調節器に備えられ且つ周壁が軸方向に延びた分断部で分断された筒状の取付け部に外嵌された状態で前記取付け部にかしめ固定されたフレームと角度調節器の取付け部との連結構造であって、
前記取付け部の前記周壁における前記分断部にて対峙する一対の分断縁部を挟んだ両側の部分と当該両部分に対応する前記フレームの端部の周壁の両部分とが、かしめ固定部として、内側へ塑性変形されることにより、前記取付け部に前記フレームの端部がかしめ固定されていることを特徴とするフレームと角度調節器の取付け部との連結構造。
【請求項１５】
フレームの筒状の端部を、角度調節器に備えられ且つ周壁が軸方向に延びた分断部で分断された筒状の取付け部に外嵌した状態で前記取付け部にかしめ固定するフレームと角度調節器の取付け部との連結方法であって、
取付け部の周壁における分断部にて対峙する一対の分断縁部を挟んだ両側の部分と当該両部分に対応するフレームの端部の周壁の両部分とを、かしめ固定部として、かしめパンチに形成された押圧部で前記フレームの端部の外側から内側へ押圧して塑性変形させることより、前記取付け部に前記フレームの端部をかしめ固定することを特徴とするフレームと角度調節器の取付け部との連結方法。
【発明の詳細な説明】
【技術分野】
【０００１】
本発明は、リクライニング椅子（例：座椅子）などの家具、家具の製造方法、かしめ固定装置、フレームと角度調節器の取付け部との連結構造、及び、フレームと角度調節器の取付け部との連結方法に関する。
【背景技術】
【０００２】
リクライニング椅子として例えば座椅子は、背体と座体とを備えている。図２４に示すように、従来の座椅子１０１では、背体の金属製背フレーム１０３の端部と座体の金属製座フレーム１０６の端部とは、角度調節器１１０を介して背フレーム１０３と座フレーム１０６との間の角度θを調節可能に連結されている（例えば特許文献１〜７参照）。
【０００３】
角度調節器１１０は、図２６に示すように、筒状の第１取付け部１１２と筒状の第２取付け部１２２とを備えている。第１取付け部１１２は、第２取付け部１２２に対して相対的に回転中心軸線Ｊを中心に回転可能に角度調節器１１０に備えられている。そして、第１取付け部１１２に背フレーム１０３の端部が取り付けられるとともに、第２取付け部１２２に座フレーム１０６の端部が取り付けられる。
【０００４】
各取付け部１１２、１２２は、これを容易に製造しうるようにするため、所定の平面形状の金属素板を屈曲加工して筒状に形成されたり、断面半円弧状の一対の分割片同士を合体させて筒状に形成されたりしたものである。そのため、各取付け部１１２、１２２の周壁１１３、１２３はその軸方向に延びた１つ又は２つ（複数）の分断部で分断されている。例えば、第１取付け部１１２の周壁１１３は２つの分断部１１３ａ、１１３ｂで分断されており（図２６参照）、具体的には周壁１１３の上端部及び下端部がそれぞれ上分断部１１３ａ及び下分断部１１３ｂで分断されている。背フレーム１０３の端部は筒状に形成されており、座フレーム１０６の端部も筒状に形成されている。
【０００５】
この角度調節器１１０において、第１取付け部１１２に背フレーム１０３の端部を取り付ける方法は次のとおりである。
【０００６】
図２６に示すように、第１取付け部１１２に背フレーム１０３の端部を外嵌する。その後、かしめパンチに形成された押圧部（図示せず）で第１取付け部１１２の周壁１１３の下端部と背フレーム１０３の端部の周壁１０４の下端部とを、かしめ固定部Ｋとして、背フレーム１０３の端部の外側から内側へ押圧して局部的に凹状に塑性変形させる。これにより、図２４に示すように、第１取付け部１１２に背フレーム１０３の端部がかしめ固定部Ｋにてかしめ固定される。その結果、背フレーム１０３と第１取付け部１１２とが連結がされる。座フレーム１０６と第２取付け部１２２との連結もこれと同じ方法で行われる。
【先行技術文献】
【特許文献】
【０００７】
【特許文献１】特開２０１１−１６７３５４号公報
【特許文献２】特開２０１０−０８８６８２号公報
【特許文献３】特開２００９−１８９３９１号公報
【特許文献４】特開２００６−２３０７２０号公報
【特許文献５】特開２００６−０４６４３３号公報
【特許文献６】特開２００６−０３４７０９号公報
【特許文献７】特開２０００−３２０５３４号公報
【発明の概要】
【発明が解決しようとする課題】
【０００８】
而して、上述したように第１取付け部１１２の周壁１１３の下端部は下分断部１１３ｂで分断されており、そのため、この部分をかしめパンチの押圧部で押圧すると、図２５に示すように、下分断部１１３ｂが開くように塑性変形される。このようになると、背フレーム１０３の端部の第１取付け部１１２への固定強度、即ち背フレーム１０３と第１取付け部１１２との連結強度が低下するという問題が発生する。
【０００９】
本発明は、上述した技術背景に鑑みてなされたもので、その目的は、フレームと角度調節器の取付け部との連結強度が高い家具、その製造方法、かしめ固定装置、フレームと角度調節器の取付け部との連結構造、及び、フレームと角度調節器の取付け部との連結方法を提供することにある。
【課題を解決するための手段】
【００１０】
本発明は以下の手段を提供する。
【００１１】
［１］  第１家具構成体の第１フレームの端部と、第２家具構成体の第２フレームの端部とが、角度調節器を介して前記第１フレームと前記第２フレームとの間の角度を調節可能に連結されており、
前記角度調節器は、第１取付け部と第２取付け部とを備えるとともに、前記第１取付け部は前記第２取付け部に対して相対的に回転可能であり、
前記第１フレームの端部が前記角度調節器の前記第１取付け部に取り付けられるとともに、前記第２フレームの端部が前記角度調節器の前記第２取付け部に取り付けられており、
前記第１取付け部と前記第２取付け部とのうち少なくとも一方の取付け部は、筒状に形成されるとともに、その周壁が軸方向に延びた分断部で分断されており、
前記一方の取付け部に取り付けられる前記フレームの端部は、筒状に形成されるとともに、前記一方の取付け部に外嵌されており、
前記一方の取付け部の前記周壁における前記分断部にて対峙する一対の分断縁部を挟んだ両側の部分と当該両部分に対応する前記フレームの端部の周壁の両部分とが、かしめ固定部として、内側へ塑性変形されることにより、前記一方の取付け部に前記フレームの端部がかしめ固定されていることを特徴とする家具。
【００１２】
［２］  前記一方の取付け部の前記周壁の前記両分断縁部同士が突き合わされた状態に前記一方の取付け部に前記フレームの端部がかしめ固定されている前項１記載の家具。
【００１３】
［３］  前記かしめ固定部が前記分断部の延びる方向に離間して複数、設けられている前項１又は２記載の家具。
【００１４】
［４］  第１家具構成体の第１フレームの端部と、第２家具構成体の第２フレームの端部とが、角度調節器を介して前記第１フレームと前記第２フレームとの間の角度を調節可能に連結されており、
前記角度調節器は、第１取付け部と第２取付け部とを備えるとともに、前記第１取付け部は前記第２取付け部に対して相対的に回転可能であり、
前記第１フレームの端部が前記角度調節器の前記第１取付け部に取り付けられるとともに、前記第２フレームの端部が前記角度調節器の前記第２取付け部に取り付けられた家具の製造方法であって、
角度調節器の第１取付け部と第２取付け部とのうち少なくとも一方の取付け部は、筒状に形成されるとともに、その周壁が軸方向に延びた分断部で分断されており、
前記一方の取付け部に取り付けられるフレームの端部は筒状に形成されており、
前記フレームの端部を前記一方の取付け部に外嵌し、その後、
前記一方の取付け部の前記周壁における前記分断部にて対峙する一対の分断縁部を挟んだ両側の部分と当該両部分に対応する前記フレームの端部の周壁の両部分とを、かしめ固定部として、かしめパンチに形成された押圧部で前記フレームの端部の外側から内側へ押圧して塑性変形させることより、前記一方の取付け部に前記フレームの端部をかしめ固定することを特徴とする家具の製造方法。
【００１５】
［５］  前記一方の取付け部の前記周壁の前記両分断縁部同士が突き合わされるように、前記かしめパンチの前記押圧部で押圧する前項４記載の家具の製造方法。
【００１６】
［６］  前記かしめパンチは、１軸方向に駆動されるものであり、
前記かしめパンチには２つの前記押圧部が互いに離間して形成されており、
前記かしめパンチの前記２つの押圧部を、前記フレームの端部の外側にて前記両分断縁部を跨ぐ態様にして配置し、
次いで、前記かしめパンチを駆動させることにより、前記かしめパンチの前記２つの押圧部で同時に押圧する前項４又は５記載の家具の製造方法。
【００１７】
［７］  前記かしめパンチは板状に形成されるとともに、前記かしめパンチの先端縁部に前記２つの押圧部が形成されている前項６記載の家具の製造方法。
【００１８】
［８］  前記かしめパンチは、前記かしめパンチの駆動方向に駆動されるパンチ取付け体に、前記分断部の延びる方向に離間して複数個取り付けられており、
前記パンチ取付け体を駆動させることにより、前記複数個のかしめパンチを一括して同時に駆動させる前項６又は７記載の家具の製造方法。
【００１９】
［９］  前記かしめ固定部への押圧力によって前記フレームの端部の前記周壁全体が偏平状に変形しないように前記周壁の外周面を拘束した状態で、前記かしめパンチの前記押圧部で押圧する前項４〜８のいずれかに記載の家具の製造方法。
【００２０】
［１０］  フレームの筒状の端部を、角度調節器に備えられ且つ周壁が軸方向に延びた分断部で分断された筒状の取付け部に外嵌した状態で前記取付け部にかしめ固定するかしめ固定装置であって、
１軸方向に駆動されるかしめパンチを具備し、
前記かしめパンチには２つの押圧部が互いに離間して形成されており、
前記かしめパンチの前記２つの押圧部は、フレームの端部の外側にて、取付け部の周壁における分断部にて対峙する一対の分断縁部を跨ぐ態様に配置されるものであり、
前記かしめパンチは、フレームの端部の外側から内側へ駆動されるものとなされていることを特徴とするかしめ固定装置。
【００２１】
［１１］  前記かしめパンチは板状に形成されるとともに、前記かしめパンチの先端縁部に前記２つの押圧部が形成されている前項１０記載のかしめ固定装置。
【００２２】
［１２］  前記かしめパンチは、前記かしめパンチの駆動方向に駆動されるパンチ取付け体に、前記分断部の延びる方向に離間して複数個取り付けられており、
前記複数個のかしめパンチは、前記パンチ取付け体が駆動されることにより、一括して同時に駆動されるものとなされている前項１０又は１１記載のかしめ固定装置。
【００２３】
［１３］  拘束凹部を備えており、
前記拘束凹部は、拘束凹部内に配置された前記フレームの端部の前記周壁全体が前記かしめ固定部への押圧力によって偏平状に変形しないように前記周壁の外周面を拘束するものである前項１０〜１２のいずれかに記載のかしめ固定装置。
【００２４】
［１４］  フレームの筒状の端部が、角度調節器に備えられ且つ周壁が軸方向に延びた分断部で分断された筒状の取付け部に外嵌された状態で前記取付け部にかしめ固定されたフレームと角度調節器の取付け部との連結構造であって、
前記取付け部の前記周壁における前記分断部にて対峙する一対の分断縁部を挟んだ両側の部分と当該両部分に対応する前記フレームの端部の周壁の両部分とが、かしめ固定部として、内側へ塑性変形されることにより、前記取付け部に前記フレームの端部がかしめ固定されていることを特徴とするフレームと角度調節器の取付け部との連結構造。
【００２５】
［１５］  フレームの筒状の端部を、角度調節器に備えられ且つ周壁が軸方向に延びた分断部で分断された筒状の取付け部に外嵌した状態で前記取付け部にかしめ固定するフレームと角度調節器の取付け部との連結方法であって、
取付け部の周壁における分断部にて対峙する一対の分断縁部を挟んだ両側の部分と当該両部分に対応するフレームの端部の周壁の両部分とを、かしめ固定部として、かしめパンチに形成された押圧部で前記フレームの端部の外側から内側へ押圧して塑性変形させることより、前記取付け部に前記フレームの端部をかしめ固定することを特徴とするフレームと角度調節器の取付け部との連結方法。
【発明の効果】
【００２６】
本発明は以下の効果を奏する。
【００２７】
上記［１］の家具では、取付け部の周壁における分断部にて対峙する一対の分断縁部を挟んだ両側の部分と、当該両部分に対応するフレームの端部の周壁の両部分とが、かしめ固定部として、内側へ塑性変形されることにより、取付け部の周壁の両分断縁部同士が突き合わされた状態に取付け部にフレームの端部がかしめ固定される。そのため、分断部が開くことによるフレームと取付け部との連結強度の低下を防止することができ、すなわちフレームと取付け部との連結強度を高くすることができる。
【００２８】
上記［２］では、取付け部の周壁の両分断縁部同士が突き合わされているので、上記［１］の効果を確実に得ることができる。
【００２９】
上記［３］では、かしめ固定部が分断部の延びる方向に離間して複数、設けられているので、フレームと取付け部との連結強度を更に高くすることができる。
【００３０】
上記［４］の家具の製造方法では、上記［１］と同様の理由により、分断部が開くことによるフレームと取付け部との連結強度の低下を防止することができ、すなわちフレームと取付け部との連結強度を高くすることができる。したがって、上記［１］の家具を確実に製造することができる。
【００３１】
上記［５］では、取付け部の周壁の両分断縁部同士が突き合わされるように、かしめパンチの押圧部で押圧するので、上記［４］の効果を確実に得ることができる。
【００３２】
上記［６］では、かしめパンチの２つの押圧部で同時に押圧するので、かしめ固定の作業能率を高めることができる。さらに、このかしめパンチは１軸方向に駆動されるものなので、かしめパンチを駆動させるための駆動手段（駆動装置）の構造を簡素化することができる。
【００３３】
上記［７］では、かしめパンチを安価に製作することができる。
【００３４】
上記［８］では、パンチ取付け体を駆動させることにより、複数個のかしめパンチを一括して同時に駆動させるので、かしめ固定の作業能率を更に高めることができる。
【００３５】
上記［９］では、かしめ固定部への押圧力によってフレームの端部の周壁全体が偏平状に変形するのを防止することができる。
【００３６】
上記［１０］のかしめ固定装置では、上記［６］と同様の理由により、かしめ固定の作業能率を高めることができるし、かしめパンチを駆動させるための駆動手段（駆動装置）の構造を簡素化することができる。したがって、このかしめ固定装置は、例えば本発明に係る家具の製造方法に特に好適に用いられる。
【００３７】
上記［１１］では、かしめパンチを安価に製作することができる。
【００３８】
上記［１２］では、上記［８］と同様の理由により、かしめ固定の作業能率を更に高めることができる。
【００３９】
上記［１３］では、かしめ固定部への押圧力によってフレームの端部の周壁全体が偏平状に変形するのを防止することができる。
【００４０】
上記［１４］のフレームと角度調節器の取付け部との連結構造では、上記［１］と同様の理由により、フレームと取付け部との連結強度を高くすることができる。
【００４１】
上記［１５］のフレームと角度調節器の取付け部との連結方法では、上記［１］と同様の理由により、フレームと取付け部との連結強度を高くすることができる。
【図面の簡単な説明】
【００４２】
【図１】図１は、本発明の一実施形態に係る家具としての座椅子を示す斜視図である。
【図２】図２は、同座椅子の角度調節器及びその近傍の側面図である。
【図３】図３は、同座椅子の角度調節器及びその近傍を斜め上側から見た斜視図である。
【図４】図４は、同座椅子の角度調節器及びその近傍を斜め下側から見た斜視図である。
【図５】図５は、図２中のＸ−Ｘ線断面図である。
【図６】図６は、図２中のＹ−Ｙ線断面図である。
【図７】図７は、同角度調節器の一部切欠き斜視図である。
【図８】図８は、同角度調節器の分解斜視図である。
【図９】図９は、同角度調節器の組立途中の状態を示す斜視図である。
【図１０】図１０は、同角度調節器の第２アームの展開図である。
【図１１】図１１は、同角度調節器の各取付け部に各フレームの端部を外嵌する途中の状態の斜視図である。
【図１２】図１２は、同角度調節器の各取付け部に各フレームの端部を外嵌した状態の側面図である。
【図１３】図１３は、図１２中のＸ−Ｘ線断面図である。
【図１４】図１４は、図１２中のＹ−Ｙ線断面図である。
【図１５】図１５は、かしめ固定装置及び角度調節器を示す斜視図である。
【図１６】図１６は、同かしめ固定装置を用いて角度調節器の各取付け部に各フレームの端部をかしめ固定する途中の状態を示する斜視図である。
【図１７】図１７は、同かしめ固定装置から角度調節器を取り出す途中の状態を示す斜視図である。
【図１８】図１８は、同かしめ固定装置の分解斜視図である。
【図１９】図１９は、同かしめ固定装置の上下両かしめパンチで押圧する直前の状態を示す、上下両かしめパンチと第１取付け部との近傍の断面図である。
【図２０】図２０は、同かしめ固定装置の上下両かしめパンチで押圧した状態を示す、上下両かしめパンチと第１取付け部との近傍の断面図である。
【図２１】図２１は、本発明のもう一つの実施形態に係る家具としての座椅子の角度調節器及びその近傍の側面図である。
【図２２】図２２は、図２１中のＸ−Ｘ線断面図である。
【図２３】図２３は、図２１中のＹ−Ｙ線断面図である。
【図２４】図２４は、従来の座椅子の角度調節器及びその近傍を斜め下側から見た斜視図である。
【図２５】図２５は、図２４中のＸ−Ｘ線断面図である。
【図２６】図２６は、同角度調節器の各取付け部に各フレームの端部を外嵌する途中の状態の斜視図である。
【発明を実施するための形態】
【００４３】
次に、本発明の幾つかの実施形態について図面を参照して以下に説明する。
【００４４】
図１〜図２０は、本発明の一実施形態に係る家具としての座椅子を説明するための図である。
【００４５】
本実施形態の座椅子１は、リクライニング椅子の一種であり、図１に示すように、第１座椅子構成体（即ち第１家具構成体）としての背体２と、第２座椅子構成体（即ち第２家具構成体）としての座体５とを具備している。
【００４６】
背体２は第１フレームとしての背フレーム３を有している。座体５は第２フレームとしての座フレーム６を有している。背フレーム３及び座フレーム６はそれぞれＵ字状に屈曲した金属パイプ製のものである。したがって、背フレーム３の各端部は筒状（パイプ状を含む）に形成されており、また座フレーム６の各端部も筒状（パイプ状を含む）に形成されている。背フレーム３の端部の断面形状及び座フレーム６の端部の断面形状はいずれも円形状である。そして、背フレーム３の各端部と座フレーム６の各端部とがそれぞれ角度調節器１０を介して連結されており、図２に示すように、背フレーム３と座フレーム６との間の角度θが角度調節器１０によって無段階に調節可能になっている。この角度θは座フレーム６に対する背フレーム３の傾倒角度に相当している。背フレーム３、座フレーム６及び角度調節器１０は、図１に示すように柔軟なクッション部材（二点鎖線で示す）の内部に配置されている。
【００４７】
角度調節器１０は、角度調節金具とも呼ばれるものであり、図２〜４に示すように、第１アーム１１と第２アーム２１とを備えている。第１アーム１１は、第２アーム２１に対して相対的に回転可能に角度調節器１０に備えられている。この角度調節器１０は金属製であり、その構成について図７〜１０を参照して以下に説明する。
【００４８】
第１アーム１１及び第２アーム２１はいずれも鋼等の金属製である。第１アーム１１は、図７及び８に示すように、回転軸部１５を有する回転板部１４と、筒状（パイプ状を含む）の第１取付け部１２とを備えている。第１取付け部１２は回転板部１４の一端から突出して一体形成されている。回転軸部１５は、回転板部１４の厚さ方向両側（即ち左右両側）にそれぞれ円筒状に突出して一体形成されている。図７においてＯ１は、第１取付け部１２の中心軸線である。Ｊは回転軸部１５の回転中心軸線である。
【００４９】
さらに、第１アーム１１は、これを容易に製造しうるようにするため、図８に示すように、左右一対の第１アーム分割片１１Ａ、１１Ａ同士を合体させて製作されたものである。そのため、第１取付け部１２の周壁１３はその軸方向に真直に延びた２つの分断部１３ａ、１３ｄで分断されている。本実施形態では、一方の分断部１３ａ（これを「上分断部１３ａ」という）は第１取付け部１２の周壁１３の上端部に形成されており、他方の分断部１３ｄ（これを「下分断部１３ｄ」という）は第１取付け部１２の周壁１３の下端部に形成されている。したがって、第１取付け部１２の周壁１３の上端部及び下端部がそれぞれ上分断部１３ａ及び下分断部１３ｄで左右に分断されている。
【００５０】
第２アーム２１は、図７及び８に示すように、ケース部２４と、筒状（パイプ状を含む）の第２取付け部２２とを備えている。第２取付け部２２はケース部２４の一端から突出して一体形成されている。図７においてＯ２は、第２取付け部２２の中心軸線である。
【００５１】
さらに、第２アーム２１は、これを容易に製造しうるようするため、図１０に示した所定の平面形状の金属素板を所定形状に屈曲加工することにより製作されたものである。そのため、図８に示すように第２取付け部２２の周壁２３はその軸方向に真直に延びた１つの分断部２３ａ（これを「上分断部２３ａ」という）で分断されている。本実施形態では、この上分断部２３ａは第２取付け部２２の周壁２３の上端部に形成されている。したがって、第２取付け部２２の周壁２３の上端部が上分断部２３ａで左右に分断されている。一方、第２取付け部２２の周壁２３の下端部は分断されていない。
【００５２】
さらに、この角度調節器１０は、図８に示すように、左右一対の巻締め部材３１、３１、板状のスペーサ部材３２、解除ピン３３などを備えている。
【００５３】
各巻締め部材３１は金属製であり、バネ弾性を有している。スペーサ部材３２は、金属製であり、両巻締め部材３１、３１の間に第１アーム１１の回転板部１４の厚さに対応する隙間を形成するためのものである。両巻締め部材３１、３１は、図９に示すように、両巻締め部材３１、３１の間にスペーサ部材３２を挟んで対向状に配置されており、そのため、両巻締め部材３１、３１の間にはスペーサ部材３２による隙間が形成されている。そして、この隙間に第１アーム１１の回転板部１４が配置されるとともに、更に、回転板部１４の各回転軸部１５が各巻締め部材３１の略Ｃ字状の巻締め部３１ａ内に圧入嵌合されている。そのため、回転軸部１５の外周面が巻締め部材３１の巻締め部３１ａで巻き締められた状態になっている。さらに、回転軸部１５は巻締め部３１ａ内にて回転可能に嵌合されている。
【００５４】
この角度調節器１０では、第１アーム１１の第１取付け部１２と第２アーム２１の第２取付け部２２との間の角度は、図２に示した背フレーム３と座フレーム６との間の角度θと同じであり、この角度θは無段階に調節可能である。第１アーム１１の第１取付け部１２に角度θを小さくする回転方向の力が加わると、第１アーム１１の回転軸部１５は巻締め部３１ａの巻締め力に抗して巻締め部３１ａ内にて摺動回転され、その結果、角度θが変更される。これとは逆に、第１アーム１１の第１取付け部１２に角度θを大きくする回転方向の力が加わると、巻締め部３１ａの巻締め力が増加して回転軸部１５の回転が阻止され、その結果、角度θは変更されない。解除ピン３３は、金属製であり、回転軸部１５の回転が阻止された状態を解除するためのものである。
【００５５】
さらに、図７及び９に示すように、第１アーム１１の回転板部１４と両巻締め部材３１、３１とスペーサ部材３２と解除ピン３３は、第２アーム２１のケース部２４内に配置されている。そして、ケース部２４の外側から挿入された複数のリベット３４によって、ケース部２４と両巻締め部材３１、３１とスペーサ部材３２と回転板部１４とが締結されている。
【００５６】
次に、本実施形態の座椅子１における背フレーム３と角度調節器１０の第１取付け部１２との連結構造について図２〜６を参照して以下に説明する。
【００５７】
背フレーム３の端部は角度調節器１０の第１取付け部１２に外嵌されている。そして、図５に示すように、第１取付け部１２の周壁１３における上分断部１３ａにて対峙する一対の上分断縁部１３ｂ、１３ｂを挟んだ両側の部分１３ｃ、１３ｃと、当該両部分１３ｃ、１３ｃに対応（詳述すると重合）する背フレーム３の端部の周壁４の両部分４ａ、４ａとが、上かしめ固定部Ｋ１として、内側に局部的に凹状に塑性変形されている。したがって、第１取付け部１２の周壁１３の両上分断縁部１３ｂ、１３ｂと、当該両上分断縁部１３ｂ、１３ｂに対応（重合）する背フレーム３の端部の周壁４の両部分（詳述すると周壁４の上端部）とは、内側に塑性変形されていない。これにより、第１取付け部１２の周壁１３の両上分断縁部１３ｂ、１３ｂ同士が突き合わされた状態に第１取付け部１２に背フレーム３の端部が上かしめ固定部Ｋ１にてかしめ固定されており、その結果、背フレーム３と第１取付け部１２とが連結されている。
【００５８】
なお本実施形態では、第１取付け部１２の周壁１３の両上分断縁部１３ｂ、１３ｂを挟んだ両側の部分１３ｃ、１３ｃとは、詳述すると、両上分断縁部１３ｂ、１３ｂを挟んだ両側近傍部分である。
【００５９】
さらに、第１取付け部１２の周壁１３における下分断部１３ｄにて対峙する一対の下分断縁部１３ｅ、１３ｅを挟んだ両側の部分１３ｆ、１３ｆと、当該両部分１３ｆ、１３ｆに対応（詳述すると重合）する背フレーム３の端部の周壁４の両部分４ｂ、４ｂとが、下かしめ固定部Ｋ２として、内側に局部的に凹状に塑性変形されている。したがって、第１取付け部１２の周壁１３の両下分断縁部１３ｅ、１３ｅと、当該両下分断縁部１３ｅ、１３ｅに対応（重合）する背フレーム３の端部の周壁４の両部分（詳述すると周壁１３の下端部）とは、内側に塑性変形されていない。これにより、第１取付け部１２の周壁１３の両下分断縁部１３ｅ、１３ｅ同士が突き合わされた状態に第１取付け部１２に背フレーム３の端部が下かしめ固定部Ｋ２にて更にかしめ固定されている。
【００６０】
なお本実施形態では、第１取付け部１２の周壁１３の両下分断縁部１３ｅ、１３ｅを挟んだ両側の部分１３ｆ、１３ｆとは、詳述すると、両下分断縁部１３ｅ、１３ｅを挟んだ両側近傍部分である。
【００６１】
さらに本実施形態では、図２〜４に示すように、上かしめ固定部Ｋ１は、第１取付け部１２の周壁１３の上分断部１３ａの延びる方向（即ち第１取付け部１２の軸方向）に離間して２つ配設されており、各上かしめ固定部Ｋ１が内側に塑性変形されている。下かしめ固定部Ｋ２は、下分断部１３ｄの延びる方向（即ち第１取付け部１２の軸方向）に離間して２つ配設されており、各下かしめ固定部Ｋ２が内側に塑性変形されている。また、図５に示すように、各上かしめ固定部Ｋ１の位置と各下かしめ固定部Ｋ２の位置とは、第１取付け部１２の中心軸線Ｏ１に対して互いに反対側に配置されるとともに、更に、第１取付け部１２の軸方向において一致している。
【００６２】
座フレーム６と角度調節器１０の第２取付け部２２との連結構造は、第２取付け部２２の周壁２３の下端部２３ｇに分断部が存在していないことを除いて、上述した背フレーム３と角度調節器１０の第１取付け部１２との連結構造と同じである。その構造について以下に簡単に説明する。
【００６３】
座フレーム６の端部が角度調節器１０の第２取付け部２２に外嵌されている。そして、図６に示すように、第２取付け部２２の周壁２３における上分断部２３ａにて対峙する一対の分断縁部２３ｂ、２３ｂを挟んだ両側の部分２３ｃ、２３ｃと、当該両部分２３ｃ、２３ｃに対応（詳述すると重合）する座フレーム６の端部の周壁７の両部分７ａ、７ａとが、上かしめ固定部Ｋ３として、内側に局部的に凹状に塑性変形されている。これにより、第２取付け部２２の周壁２３の両上分断縁部２３ｂ、２３ｂ同士が突き合わされた状態に第２取付け部２２に座フレーム６の端部が上かしめ固定部Ｋ３にてかしめ固定されており、その結果、座フレーム６と第２取付け部２２とが連結されている。
【００６４】
さらに、第２取付け部２２の周壁２３における下端部２３ｇを挟んだ両側の部分２３ｈ、２３ｈと、当該両部分２３ｈ、２３ｈに対応（詳述すると重合）する座フレーム６の端部の周壁７の両部分７ｂ、７ｂとが、下かしめ固定部Ｋ４として、内側に局部的に凹状に塑性変形されている。これにより、第２取付け部２２に座フレーム６の端部が下かしめ固定部Ｋ４にて更にかしめ固定されている。
【００６５】
さらに本実施形態では、図２〜４に示すように、上かしめ固定部Ｋ３は、第２取付け部２２の周壁２３の上分断部２３ａの延びる方向（即ち第２取付け部２２の軸方向）に離間して２つ配設されており、各上かしめ固定部Ｋ３が内側に塑性変形されている。下かしめ固定部Ｋ４は、周壁２３の下端部２３ｇの延びる方向（即ち第２取付け部２２の軸方向）に離間して２つ配設されており、各下かしめ固定部Ｋ４が内側に塑性変形されている。また、図６に示すように、各上かしめ固定部Ｋ３の位置と各下かしめ固定部Ｋ４の位置とは、第２取付け部２２の中心軸線Ｏ２に対して互いに反対側に配置されるとともに、更に、第２取付け部２２の軸方向において一致している。
【００６６】
次に、本実施形態の座椅子１の製造方法について、図１１〜２０を参照して以下に説明する。
【００６７】
まず、図１１及び１２に示すように、背フレーム３の端部を角度調節器１０の第１取付け部１２に外嵌させるとともに、座フレーム６の端部を角度調節器１０の第２取付け部２２に外嵌させる。この状態では、図１３に示すように、第１取付け部１２の周壁１３の上端部及び下端部はそれぞれ上分断部１３ａ及び下分断部１３ｄで左右に分断されている。なお同図では、周壁１３が各分断部１３ａ、１３ｄで分断されていることを分かり易くするため、各分断部１３ａ、１３ｄを若干開いた状態にして図示されており、そのため、両上分断縁部１３ｂ、１３ｂの間と両下分断縁部１３ｅ、１３ｅの間とにそれぞれ小さな隙間が生じている。これと同じく、図１４に示すように、第２取付け部２２の周壁２３の上端部は上分断部２３ａで左右に分断されている。なお同図では、周壁２３が上分断部２３ａで分断されていることを分かり易くするため、上分断部２３ａを若干開いた状態にして図示されており、そのため、両上分断縁部２３ｂ、２３ｂの間に小さな隙間が生じている。
【００６８】
次いで、角度調節器１０の第１取付け部１２と第２取付け部２２との間の角度θを約１８０°に調節し、そして、図１５に示すように角度調節器１０を上下反転させる。次いで、同図に示したかしめ固定装置５０を用いて、角度調節器１０の第１取付け部１２に背フレーム３の端部をかしめ固定すると同時に、角度調節器１０の第２取付け部２２に座フレーム６の端部をかしめ固定する。
【００６９】
ここで、かしめ固定装置５０の構成を図１５〜２０を参照して以下に説明する。
【００７０】
かしめ固定装置５０は、角度調節器１０の上側に配置される上パンチ取付け体５１と、角度調節器１０の下側に配置される下パンチ取付け体６１とを具備している。
【００７１】
図１５に示すように、上パンチ取付け体５１の一端部側には、角度調節器１０の第１取付け部１２側（即ち背フレーム３側）の下かしめ固定部Ｋ２を押圧する、第１取付け部１２側（即ち背フレーム３側）の２個の上かしめパンチ７０、７０が下方向に突出して固定状態に取り付けられている。その取付け構造は次のとおりである。図１５及び１８に示すように、上かしめパンチ７０は、１軸方向として下方向に駆動されるものであり、板状である。さらに、上かしめパンチ７０の先端縁部（同図では下端縁部）７０ａの中間部に略Ｕ字状の切欠き部７２が形成されており（図１９参照）、これにより、当該先端縁部７０ａに切欠き部７２の両端角部からなる２つの押圧部７１、７１が互いに離間して形成されている。さらに、上パンチ取付け体５１の下面に両上かしめパンチ７０、７０間の間隔を所定間隔に保つための上スペーサ片５２が２個のボルト（詳述すると六角穴付きボルト）５５、５５によって固定されている。そして、両上かしめパンチ７０、７０がこの上スペーサ片５２を挟んた状態でボルト（詳述すると六角穴付きボルト）５６によって固定されている。このように固定された状態において、両上かしめパンチ７０、７０は、第１取付け部１２の周壁１３の下分断部１３ｄの延びる方向（即ち第１取付け部１２の軸方向）に離間して配置されている。このようにして、両上かしめパンチ７０、７０は、下分断部１３ｄの延びる方向に離間して上パンチ取付け体５１に取り付けられている。さらに、上かしめパンチ７０の両押圧部７１、７１は、図１９に示すように、下かしめ固定部Ｋ２を押圧する際に、背フレーム３の端部の外側にて第１取付け部１２の周壁１３の両下分断縁部１３ｅ、１３ｅを跨ぐ態様に配置されるものである。なお図１８において、５３は上挟み片であり、この上挟み片５３と上スペーサ片５２との間で上かしめパンチ７０が挟まれている。５７はボルトと螺合するネジ孔である。その他の孔はボルト挿通孔である。
【００７２】
図１５に示すように、下パンチ取付け体６１の一端部側には、角度調節器１０の第１取付け部１２側（即ち背フレーム３側）の上かしめ固定部Ｋ１を押圧する、第１取付け部１２側（即ち背フレーム３側）の２個の下かしめパンチ８０、８０が上方向に突出して固定状態に取り付けられている。その取付け構造は次のとおりである。図１５及び１８に示すように、下かしめパンチ８０の形状は、上かしめパンチ７０と略同じ形状になっている。すなわち、下かしめパンチ８０は板状であり、その先端縁部（同図では上端縁部）８０ａの中間部に略Ｕ字状の切欠き部８２が形成されており（図１９参照）、これにより、当該先端縁部８０ａに切欠き部８２の両端角部からなる２つの押圧部８１、８１が互いに離間して形成されている。さらに、下パンチ取付け体６１の上面に両下かしめパンチ８０、８０間の間隔を所定間隔に保つための下スペーサ片６２が２個のボルト（詳述すると六角穴付きボルト）６５、６５によって固定されている。そして、両下かしめパンチ８０、８０がこの下スペーサ片６２を挟んた状態でボルト（詳述すると六角穴付きボルト）６６によって固定されている。このように固定された状態において、両下かしめパンチ８０、８０は、第１取付け部１２の周壁１３の上分断部１３ａの延びる方向（即ち第１取付け部１２の軸方向）に離間して配置されている。このようにして、両下かしめパンチ８０、８０は、上分断部１３ａの延びる方向に離間して下パンチ取付け体６１に取り付けられている。さらに、下かしめパンチ８０の両押圧部８１、８１は、図１９に示すように、上かしめ固定部Ｋ１を押圧する際に、背フレーム３の端部の外側にて第１取付け部１２の周壁１３の両上分断縁部１３ｂ、１３ｂを跨ぐ態様に配置されるものである。なお図１８において、６３は下挟み片であり、この下挟み片６３と下スペーサ片６２との間で下かしめパンチ８０が挟まれている。６７はボルトと螺合するネジ孔である。その他の孔はボルト挿通孔である。
【００７３】
さらに、下スペーサ片６２の上面及び各下挟み片６３の上面には、それぞれ、背フレーム３の端部の周壁４の外周面の断面形状に対応して断面略半円弧状に窪んだ拘束凹部６４が形成されている。この拘束凹部６４は、拘束凹部６４内に配置された背フレーム３の端部の周壁４全体がかしめ固定部Ｋ１、Ｋ２への押圧力によって偏平状に変形しないように周壁４の外周面を拘束するものであり、下かしめパンチ８０に隣接して配置されている。さらに、図１９に示すように、下かしめパンチ８０の両押圧部８１、８１はこの拘束凹部６４内に突出するように配置されている。また、各下かしめパンチ８０の両押圧部８１、８１は、各上かしめパンチ７０の両押圧部７１、７１に対向する位置に配置されている。
【００７４】
上パンチ取付け体５１の他端部側には、図１５に示すように、角度調節器１０の第２取付け部２２側（即ち座フレーム６側）の下かしめ固定部Ｋ４を押圧する、第２取付け部２２側（即ち座フレーム６側）の２個の上かしめパンチ７０、７０が下方向に突出して固定状態に取り付けられている。その取付け構造は、図１８に示すように第１取付け部１２側の上かしめパンチの取付け構造と同じであり、これらの図では第１取付け部１２側と同じ符号が付されている。
【００７５】
下パンチ取付け体６１の他端部側には、図１５に示すように、角度調節器１０の第２取付け部２２側（即ち座フレーム６側）の上かしめ固定部Ｋ３を押圧する、第２取付け部２２側（即ち座フレーム６側）の２個の下かしめパンチ８０、８０が上方向に突出して固定状態に取り付けられている。その取付け構造は、図１８に示すように第１取付け部１２側の下かしめパンチの取付け構造と同じであり、これらの図では第１取付け部１２側と同じ符号が付されている。
【００７６】
下パンチ取付け体６１は、固定テーブル（図示せず）上に位置固定状態に配置されている。上パンチ取付け体５１には、上かしめパンチ７０の駆動方向Ｄ（図１９参照）である下方向Ｄに上パンチ取付け体５１を駆動させる駆動手段としての駆動装置９０が接続されている。この駆動装置９０は、プレスラム（図示せず）と駆動源（例：油圧シリンダ）９１とを備えている。上パンチ取付け体５１の上面にはプレスラムに連結される連結部５９が上方突出状に設けられており、プレスラムに駆動源９１が接続されている。そして、上パンチ取付け体５１は、駆動源９１を動作させることによって下方向（即ち上かしめパンチ７０の駆動方向）Ｄに駆動され、これにより、第１取付け部１２側の２個の上かしめパンチ７０、７０と第２取付け部２２側の２個の上かしめパンチ７０、７０とが一括して同時に下方向Ｄに駆動されるものとなされている。
【００７７】
上記かしめ固定装置５０を用いたかしめ固定方法は以下のとおりである。
【００７８】
上述したように、背フレーム３の一方の端部を角度調節器１０の第１取付け部１２に外嵌させるとともに、座フレーム６の一方の端部を角度調節器１０の第２取付け部２２に外嵌させる（図１１及び１２参照）。そして、角度調節器１０の第１取付け部１２と第２取付け部２２との間の角度θを約１８０°に調節する。
【００７９】
次いで、図１５に示すように角度調節器１０を上下反転させる。そして、下パンチ取付け体６１の第１取付け部１２側の２個の下かしめパンチ８０、８０上に背フレーム３の端部を水平に載置するとともに、下パンチ取付け体６１の第２取付け部２２側の２個の下かしめパンチ８０、８０上に座フレーム６の端部を水平に載置する。その際に、背フレーム３の端部を第１取付け部１２側の拘束凹部６４内に配置するとともに、座フレーム６の端部を第２取付け部２２側の拘束凹部６４内に配置する。これにより、図１９に示すように、背フレーム３の端部の周壁４の外周面が拘束凹部６４で拘束され、さらに、第１取付け部１２側の各下かしめパンチ８０の２つの押圧部８１、８１が背フレーム３の端部の外側にて第１取付け部１２の周壁１３の両上分断縁部１３ｂ、１３ｂを跨ぐ態様になるように、第１取付け部１２と背フレーム３の端部とが配置される。第２取付け部２２と座フレーム６の端部とについても上記と同様に配置する。
【００８０】
次いで、駆動源９１を動作させることによって上パンチ取付け体５１を下方向Ｄに駆動させ、これにより、第１取付け部１２側の２個の上かしめパンチ７０、７０と第２取付け部２２側の２個の上かしめパンチ７０、７０とを一括して同時に下方向Ｄに駆動させる。
【００８１】
すると、図１９に示すように、第１取付け部１２側の各上かしめパンチ７０の２つの押圧部７１、７１が、背フレーム３の端部の外側にて第１取付け部１２の周壁１３の両下分断縁部１３ｅ、１３ｅを跨ぐ態様に配置されるとともに、引き続き上パンチ取付け体５１が下方向Ｄに駆動することによって、図２０に示すように、各上かしめパンチ７０の両押圧部７１、７１で第１取付け部１２側の各下かしめ固定部Ｋ２が背フレーム３の端部の外側から内側へ同時に押圧されて両下分断縁部１３ｅ、１３ｅ同士が突き合わされるように局部的に凹状に塑性変形される。これにより、第１取付け部１２に背フレーム３の端部が各下かしめ固定部Ｋ２にてかしめ固定される。これと同時に、各下かしめパンチ８０の両押圧部８１、８１で第１取付け部１２側の各上かしめ固定部Ｋ１が背フレーム３の端部の外側から内側へ同時に押圧されて両上分断縁部１３ｂ、１３ｂ同士が突き合わされるように局部的に凹状に塑性変形される。これにより、第１取付け部１２に背フレーム３の端部が各上かしめ固定部Ｋ１にて更にかしめ固定される。
【００８２】
第２取付け部２２側の各下かしめ固定部Ｋ４及び各上かしめ固定部Ｋ３についても上記と同様に塑性変形される。これにより、第２取付け部２２に座フレーム６の端部が各下かしめ固定部Ｋ４及び各上かしめ固定部Ｋ３にてかしめ固定される。
【００８３】
上記のような背フレーム３の端部のかしめ固定と座フレーム６の端部のかしめ固定とは、同時に行われる。その結果、背フレーム３の端部と角度調節器１０の第１取付け部１２とが連結されると同時に、座フレーム６の端部と角度調節器１０の第２取付け部２２とが連結される。
【００８４】
背フレーム３の他方の端部と他方の角度調節器１０の第１取付け部１２との連結作業、及び、座フレーム６の他方の端部と他方の角度調節器１０の第２取付け部２２との連結作業についても、上記と同様に行われる。その後、公知の製造方法に従って本実施形態の座椅子１を製造する。
【００８５】
而して、本実施形態の座椅子１には次の利点がある。
【００８６】
本実施形態の座椅子１では、図５に示すように、角度調節器１０の第１取付け部１２の周壁１３の両上分断縁部１３ｂ、１３ｂを挟んだ両側の部分１３ｃ、１３ｃと、当該両部分１３ｃ、１３ｃに対応する背フレーム３の端部の周壁４の両部分４ａ、４ａとが、上かしめ固定部Ｋ１として、内側へ塑性変形されることにより、両上分断縁部１３ｂ、１３ｂ同士が突き合わされた状態に第１取付け部１２に背フレーム３の端部がかしめ固定される。そのため、上分断部１３ａが開くことによる背フレーム３と第１取付け部１２との連結強度の低下を防止することができ、すなわち背フレーム３と第１取付け部１２との連結強度を高くすることができる。
【００８７】
さらに、角度調節器１０の第１取付け部１２の周壁１３の両下分断縁部１３ｅ、１３ｅを挟んだ両側の部分１３ｆ、１３ｆと、当該両部分１３ｆ、１３ｆに対応する背フレーム３の端部の周壁４の両部分４ｂ、４ｂとが、下がかしめ固定部Ｋ２として、内側へ塑性変形されることにより、両下分断縁部１３ｅ、１３ｅ同士が突き合わされた状態に第１取付け部１２に背フレーム３の端部がかしめ固定される。そのため、下分断部１３ｄが開くことによる背フレーム３と第１取付け部１２との連結強度の低下を防止することができ、すなわち背フレーム３と第１取付け部１２との連結強度を更に高くすることができる。
【００８８】
その上、上かしめ固定部Ｋ１が上分断部１３ａの延びる方向に離間して２つ設けられるとともに、下かしめ固定部Ｋ２が下分断部１３ｄの延びる方向に離間して２つ設けられているので、背フレーム３と第１取付け部１２との連結強度を更に一層高くすることができる。
【００８９】
さらに、図６に示すように、角度調節器１０の第２取付け部２２の周壁２３の両上分断縁部２３ｂ、２３ｂを挟んだ両側の部分２３ｃ、２３ｃと、当該両部分２３ｃ、２３ｃに対応する座フレーム６の端部の周壁７の両部分７ａ、７ａとが、上かしめ固定部Ｋ３として、内側へ塑性変形されることにより、両上分断縁部２３ｂ、２３ｂ同士が突き合わされた状態に第２取付け部２２に座フレーム６の端部がかしめ固定される。そのため、上分断部２３ａが開くことによる座フレーム６と第２取付け部２２との連結強度の低下を防止することができ、すなわち座フレーム６と第２取付け部２２との連結強度についても高くすることができる。
【００９０】
また、本実施形態のかしめ固定装置５０によれば、角度調節器１０の第１取付け部１２側の上かしめパンチ７０の２つの押圧部７１、７１で下かしめ固定部Ｋ２を同時に押圧するので、第１取付け部１２側のかしめ固定の作業能率を高めることができる。しかも、この上かしめパンチ７０は１軸方向（即ち下方向）Ｄに駆動されるものであるから、上かしめパンチ７０を駆動させるための駆動装置９０の構造を簡素化することができる。
【００９１】
さらに、第１取付け部１２側の上かしめパンチ７０は、上パンチ取付け体５１に、第１取付け部１２の周壁１３の下分断部１３ｄの延びる方向に離間して２個取り付けられており、これらの上かしめパンチ７０は、上パンチ取付け体５１が駆動されることにより、一括して同時に駆動されるものとなされているので、第１取付け部１２側のかしめ固定の作業能率を更に高めることができる。
【００９２】
さらに、第１取付け部１２側の下かしめパンチ８０の２つの押圧部８１、８１で上かしめ固定部Ｋ１を同時に押圧するので、第１取付け部１２側のかしめ固定の作業能率を更に高めることができる。しかも、下かしめパンチ８０は、下パンチ取付け体６１に、上分断部の延びる方向に離間して２個取り付けられているので、第１取付け部１２側のかしめ固定の作業能率を更に高めることができる。
【００９３】
さらに、角度調節器１０の第２取付け部２２側の上かしめパンチ７０は、上パンチ取付け体５１に２個取り付けられるとともに、第２取付け部２２側の下かしめパンチ８０は、下パンチ取付け体６１に第２取付け部２２の周壁２３の上分断部２３ａの延びる方向に離間して２個取り付けられている。そのため、上パンチ取付け体５１を下方向Ｄに駆動させることにより、第１取付け部１２側の全ての上かしめパンチ７０と第２取付け部２２側の全ての上かしめパンチ７０とが一括して同時に駆動する。これにより、第１取付け部１２側のかしめ固定と第２取付け部２２側のかしめ固定とを同時に行うことができる。したがって、これらのかしめ固定の作業能率を更に高めることができる。
【００９４】
さらに、上かしめパンチ７０は板状に形成されるとともに、上かしめパンチ７０の先端縁部７０ａに２つの押圧部７１、７１が形成されており、更に、下かしめパンチ８０も上かしめパンチ７０と同様に形成されているから、これらのかしめパンチ７０、８０を安価に製作することができる。
【００９５】
さらに、背フレーム３の端部を拘束凹部６４内に配置することにより、上かしめ固定部Ｋ１への押圧力及び下かしめ固定部Ｋ２への押圧力によって背フレーム３の端部の周壁４全体が偏平状に変形しないように周壁４の外周面が拘束されるので、背フレーム３の端部の周壁４全体が偏平状に変形するのを防止することができる。座フレーム６の端部についても、同様の理由により、座フレーム６の端部の周壁７全体が偏平状に変形するのを防止することができる。
【００９６】
図２１〜２３は、本発明のもう一つの実施形態に係る家具としての座椅子を説明するための図である。これらの図において、上記実施形態の座椅子と同等の構成要素には同一の符号が付されている。
【００９７】
これらの図に示した座椅子１では、角度調節器１０の第１取付け部１２の周壁１３の両下分断縁部１３ｅ、１３ｅを挟んだ両側の部分１３ｆ、１３ｆと、当該両部分１３ｆ、１３ｆに対応する背フレーム３の端部の周壁４の両部分４ｂ、４ｂとは、かしめ固定部ではなく、即ち塑性変形されていない。さらに、第２取付け部２２の周壁２３の下端部２３ｇを挟んだ両側の部分２３ｈ、２３ｈと、当該両部分２３ｈ、２３ｈに対応する座フレーム６の端部の周壁７の両部分７ｂ、７ｂとは、かしめ固定部ではなく、即ち塑性変形されていない。この座椅子１のその他の構成は、上記実施形態の座椅子と同じである。
【００９８】
以上で本発明の幾つかの実施形態について説明したが、本発明は上記実施形態に限定されるものではなく、本発明の要旨を逸脱しない範囲内において様々に変更可能である。
【００９９】
また、上記実施形態で用いた角度調節器１０は、第１取付け部１２と第２取付け部２２との間の角度θを無段階に調節可能なものであるが、本発明で用いる角度調節器１０は、その他に例えば、角度θを段階的に調節可能なものであっても良い。
【０１００】
また、上記実施形態で用いた角度調節器１０の第１取付け部１２の周壁１３を分断する分断部の数は２つであるが、本発明では、その他に例えば、第２取付け部２２のように１つであっても良い。
【０１０１】
また、本発明に係る家具は、上記実施形態で示すような座椅子１であることに限定されるものではなく、その他に、肘掛けの角度を調節可能な肘掛け付き椅子やフットレストの角度を調節可能なフットレスト付き椅子等であっても良いし、折り畳み式ソファーや折り畳み式ベッド等であっても良い。さらに本発明は、乗り物（例：自動車、鉄道車両、飛行機）の座席用椅子に本発明の技術的思想を適用することを排除するものではない。
【産業上の利用可能性】
【０１０２】
本発明は、家具（例：リクライニング椅子、肘掛け付き椅子、フットレスト付き椅子、折り畳み式ソファー、折り畳み式ベッド）、家具の製造方法、かしめ固定装置、フレームと角度調節器の取付け部との連結構造、及び、フレームと角度調節器の取付け部との連結方法に利用可能である。
【符号の説明】
【０１０３】
１：座椅子（家具）
２：背体（第１家具構成体）
３：背フレーム（第１フレーム）
４：背フレームの端部の周壁
５：座体（第２家具構成体）
６：座フレーム（第２フレーム）
７：座フレームの端部の周壁
１０：角度調節器
１１：第１アーム
１２：第１取付け部
１３：第１取付け部の周壁
１３ａ：上分断部（分断部）
１３ｂ、１３ｂ：一対の上分断縁部
１３ｃ、１３ｃ：両上分断縁部の両側の部分
１３ｄ：下分断部（分断部）
１３ｅ、１３ｅ：一対の下分断縁部
１３ｆ、１３ｆ：両下分断縁部の両側の部分
２１：第２アーム
２２：第２取付け部
２３：第２取付け部の周壁
２３ａ：上分断部
２３ｂ、２３ｂ：一対の上分断縁部
２３ｃ、２３ｃ：両上分断縁部の両側の部分
Ｋ１〜Ｋ４：かしめ固定部
５０：かしめ固定装置
５１：上パンチ取付け体
６１：下パンチ取付け体
６４：拘束凹部
７０：上かしめパンチ
７１：上かしめパンチの押圧部
８０：下かしめパンチ
８１：下かしめパンチの押圧部
【図１】
2014030614.tif 000003
【図２】
2014030614.tif 000004
【図３】
2014030614.tif 000005
【図４】
2014030614.tif 000006
【図５】
2014030614.tif 000007
【図６】
2014030614.tif 000008
【図７】
2014030614.tif 000009
【図８】
2014030614.tif 000010
【図９】
2014030614.tif 000011
【図１０】
2014030614.tif 000012
【図１１】
2014030614.tif 000013
【図１２】
2014030614.tif 000014
【図１３】
2014030614.tif 000015
【図１４】
2014030614.tif 000016
【図１５】
2014030614.tif 000017
【図１６】
2014030614.tif 000018
【図１７】
2014030614.tif 000019
【図１８】
2014030614.tif 000020
【図１９】
2014030614.tif 000021
【図２０】
2014030614.tif 000022
【図２１】
2014030614.tif 000023
【図２２】
2014030614.tif 000024
【図２３】
2014030614.tif 000025
【図２４】
2014030614.tif 000026
【図２５】
2014030614.tif 000027
【図２６】
2014030614.tif 000028